【手続補正書】
【提出日】平成18年1月6日(2006.1.6)
【手続補正１】
【補正対象書類名】明細書
【補正対象項目名】特許請求の範囲
【補正方法】変更
【補正の内容】
【特許請求の範囲】
【請求項１】  磁気テープ媒体及び外部から読み書き可能な半導体メモリを内蔵する外付けカセット型の記録メディアが駆動機構へ装着され、いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる、動画像と静止画像を混在記録可能な記録メディアの記録方法であって、
前記記録メディアが前記駆動機構へ装着された際に、当該記録メディアに内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードが存在すれば当該レコードを読出して、別途準備された一時記憶装置へ転写し、
動画像記録の開始指示を受けると、前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成された前記レコードに追記し、
ここで前記レコードの転写を指示する信号または、前記記録メディアの装着解除を指示する信号または、電源遮断を指示する信号の少なくともいずれかの発生を検出すると、前記一時記憶装置に記憶された前記レコードを前記記録メディア内の前記半導体メモリへ転写することを特徴とする動画像と静止画像を混在記録可能な記録メディアへの記録方法。
【請求項２】  磁気テープ媒体及び外部から読み書き可能な半導体メモリが内蔵されたカセット型の外付け記録メディアが装着されると当該磁気テープ媒体の駆動と当該半導体メモリとの電気的接続をするとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録装置であって、
データの一時記憶が可能な一時記憶装置と、
制御手段と、
記録実行手段を備え、
前記制御手段は、前記記録メディアが前記メディア装着駆動部へ装着された際に、当該記録メディアに内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードが存在すれば当該レコードを読出して、前記一時記憶装置へ転写し、
前記記録実行手段は、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
ここで前記レコードの転写を指示する信号または、前記記録メディアの装着解除を指示する信号または、電源遮断を指示する信号の少なくともいずれかの発生を検出すると、前記一時記憶装置に記憶された前記レコードを前記記録メディア内の前記半導体メモリへ転写する構成としたことを特徴とする動画像と静止画像を混在記録可能な記録メディアの記録装置。
【請求項３】  磁気テープ媒体を内蔵する記録メディアが駆動機構へ装着され、いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる、動画像と静止画像を混在記録可能な記録メディアの記録方法であって、
外部から読み書き可能な半導体メモリを内蔵して構成された外付けカード型記録装置をカード装着機構へ装着し、
前記記録メディアが前記駆動機構へ装着された際に、当該外付けカード型記録装置に内蔵された前記半導体メモリに、前記磁気テープ媒体に記録されている画像が動画像であることを示す種別指標と、記録開始時および記録終了時の絶対アドレスまたはタイムコードとを対応付けた少なくとも一つのレコードが既記録されているか否かを検査し、レコードが存在すれば当該レコードを読出して、別途準備された一時記憶装置へ転写し、
動画像の記録開始指示を受けると、前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードが前記外付けカード型記録装置内の前記半導体メモリへ転写されることを特徴とする動画像と静止画像を混在記録可能な記録メディアへの記録方法。
【請求項４】  磁気テープ媒体が内蔵された外付け記録メディアが装着されると当該磁気テープ媒体の駆動をするとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録装置であって、
外部から読み書き可能な半導体メモリを内蔵して構成された外付けカード型記録装置を装着して駆動するカード装着部と、
データの一時記憶が可能な一時記憶装置と、
制御手段と、
記録実行手段を備え、
前記制御手段は、前記記録メディアが前記メディア装着駆動部へ装着された際に、前記カード装着部へ装着された外付けカード型記録装置に内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードが存在すれば当該レコードを読出して、前記一時記憶装置へ転写し、
前記記録実行手段は、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
ここで前記レコードの転写を指示する信号または、前記記録メディアの装着解除を指示する信号または、電源遮断を指示する信号の少なくともいずれかの発生を検出すると、前記一時記憶装置に記憶された前記レコードを前記外付けカード型記録装置内の前記半導体メモリへ転写する構成としたことを特徴とする動画像と静止画像を混在記録可能な記録メディアの記録装置。
【請求項５】  磁気テープ媒体を内蔵する外付けカセット型の記録メディアが駆動機構へ装着され、いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる、動画像と静止画像を混在記録可能な記録メディアの記録方法であって、
前記記録メディアが前記駆動機構へ装着された際に、当該磁気テープ媒体上の予め定められた目次記録領域に、当該磁気テープ媒体に記録されている画像が動画像であることを示す種別指標と、記録開始時および記録終了時の絶対アドレスまたはタイムコードとを対応付けた少なくとも一つのレコードが既記録されているか否かを検査し、レコードが存在すれば当該レコードを読出して、別途準備された一時記憶装置へ転写し、
動画像記録の開始指示を受けると、前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成された前記レコードに追記し、
ここで前記レコードの転写を指示する信号または、前記記録メディアの装着解除を指示する信号または、電源遮断を指示する信号の少なくともいずれかの発生を検出すると、前記一時記憶装置に記憶された前記レコードが前記磁気テープ媒体の前記目次記録領域へ転写されることを特徴とする動画像と静止画像を混在記録可能な記録メディアへの記録方法。
【請求項６】  磁気テープ媒体が内蔵された外付け記録メディアが装着されると当該磁気テープ媒体の駆動をするとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録装置であって、
データの一時記憶が可能な一時記憶装置と、
制御手段と、
記録実行手段を備え、
前記制御手段は、前記記録メディアが前記メディア装着駆動部へ装着された際に、前記磁気テープ媒体上の予め定めた目次記録領域に当該磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードが存在すれば当該レコードを読出して、前記一時記憶装置へ転写し、
前記記録実行手段は、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードを前記磁気テープ媒体の前記目次記録領域へ転写する構成としたことを特徴とする動画像と静止画像を混在記録可能な記録メディアの記録装置。
【請求項７】  動画像と静止画像を混在記録可能な磁気テープ媒体による記録メディアの再生方法であって、
前記磁気テープ媒体に記録された複数の動画像の夫々につき、動画像であることを示す種別指標と、当該動画像の開始と終了を示す開始アドレスと終了アドレスまたは開始タイムコードと終了タイムコードを各記録毎に対応付けしたレコードが複数個、記録順序に従い一時記憶装置内に一時記憶された状態において動画像の再生指示がなされると、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像が混在記録された記録メディアの再生方法。
【請求項８】  動画像と静止画像が混在記録された磁気テープ媒体を内蔵するカセット内に半導体メモリが備えられた記録メディアを再生する方法であって、
前記カセット内に備えられた前記半導体メモリに記録されている、当該磁気テープ媒体に記録された複数の動画像の夫々につき動画像であることを示す種別指標と動画像の開始と終了を示す開始アドレスと終了アドレスまたは開始タイムコードと終了タイムコードを各記録毎に対応付けした複数個のレコードを、一時記憶装置へ転写し、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像が混在記録された記録メディアの再生方法。
【請求項９】  動画像と静止画像が混在記録された磁気テープ媒体を内蔵するカセット内に半導体メモリが備えられた記録メディアを再生する装置であって、
データの一時記憶が可能な一時記憶装置と、
制御手段と、
再生実行手段とを備え、
前記制御手段は、前記カセット内に備えられた前記半導体メモリに記録されている、当該磁気テープ媒体に記録された複数の動画像の夫々につき動画像であることを示す種別指標と動画像の開始と終了を示す開始アドレスと終了アドレスまたは開始タイムコードと終了タイムコードを各記録毎に対応付けした複数個のレコードを、前記一時記憶装置へ転写し、
前記再生実行手段は、前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像が混在記録された記録メディアの再生装置。
【請求項１０】  動画像と静止画像が混在記録された磁気テープ媒体を内蔵する記録メディアを再生する方法であって、
外部から読み書き可能な半導体メモリを内蔵する外付けカード型記録装置に記録されている、当該磁気テープ媒体に記録された複数の動画像の夫々につき動画像であることを示す種別指標と動画像の開始と終了を示す開始アドレスと終了アドレスまたは開始タイムコードと終了タイムコードを各記録毎に対応付けした複数個のレコードを、前記外付けカード型記録装置から一時記憶装置へ転写し、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像が混在記録された記録メディアの再生方法。
【請求項１１】  動画像と静止画像が混在記録された磁気テープ媒体を内蔵する記録メディアを再生する装置であって、
外部から読み書き可能な半導体メモリを内蔵する外付けカード型記録装置を装着して駆動するカード駆動部と、
データの一時記憶が可能な一時記憶装置と、
制御装置と、
再生実行手段とを備え、
前記制御手段は、前記外付けカード型記録装置内に備えられた前記半導体メモリに記録されている、当該磁気テープ媒体に記録された複数の動画像の夫々につき動画像であることを示す種別指標と動画像の開始と終了を示す開始アドレスと終了アドレスまたは開始タイムコードと終了タイムコードを各記録毎に対応付けした複数個のレコードを、前記カード駆動部を介して前記一時記憶装置へ転写し、
前記再生実行手段は、前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像が混在記録された記録メディアの再生装置。
【請求項１２】  動画像と静止画像が混在記録された磁気テープ媒体を内蔵する記録メディアを再生する方法であって、
前記磁気テープ媒体上の予め定めた目次記録領域に記録されている、当該磁気テープ媒体に記録された複数の動画像の夫々につき動画像であることを示す種別指標と動画像の開始と終了を示す開始アドレスと終了アドレスまたは開始タイムコードと終了タイムコードを各記録毎に対応付けした複数個のレコードを、一時記憶装置へ転写し、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像が混在記録された記録メディアの再生方法。
【請求項１３】  動画像と静止画像が混在記録された磁気テープ媒体からなる記録メディアを再生する装置であって、
データの一時記憶が可能な一時記憶装置と、
制御手段と、
再生実行手段とを備え、
前記制御手段は、前記磁気テープ媒体上の予め定めた目次記録領域に記録されている、当該磁気テープ媒体に記録された複数の動画像の夫々につき動画像であることを示す種別指標と動画像の開始と終了を示す開始アドレスと終了アドレスまたは開始タイムコードと終了タイムコードを各記録毎に対応付けした複数個のレコードを、前記一時記憶装置へ転写し、
前記再生実行手段は、前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像が混在記録された記録メディアの再生装置。
【請求項１４】  磁気テープ媒体及び外部から読み書き可能な半導体メモリを内蔵する外付けカセット型の記録メディアが駆動機構へ装着され、いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させ、また前記記録メディアを再生する、動画像と静止画像の混在記録がなされる記録メディアの記録再生方法であって、
前記記録メディアが前記駆動機構へ装着された際に、当該記録メディアに内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、別途準備された一時記憶装置へ転写し、
動画像の記録開始指示を受けると、
前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成された前記レコードに追記し、
前記磁気テープ媒体に記録されている画像の再生を指示する信号または、レコードの転写を指示する信号または、前記記録メディアの装着解除を指示する信号または、電源遮断を指示する信号の少なくともいずれかの発生を検出すると、前記一時記憶装置に記憶された前記レコードを前記記録メディア内の前記半導体メモリへ転写し、
また前記磁気テープ媒体に記録されている画像の再生を指示する信号を受けた際に、前記一時記憶装置に前記レコードが存在するか否かを確認し、前記レコードが存在しない場合は前記記録メディア内に備えられた前記半導体メモリに記録されている前記レコードを前記一時記憶装置へ転写し、
前記一時記憶装置内の前記レコードが複数個ある場合に、当該複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像の混在記録がなされる記録メディアの記録再生方法。
【請求項１５】  磁気テープ媒体及び外部から読み書き可能な半導体メモリが内蔵されたカセット型の外付け記録メディアが装着されると当該磁気テープ媒体の駆動と当該半導体メモリとの電気的接続をするとともに、前記磁気テープ媒体の走行距離または記録時間経過に応じて駆動信号を発生させるメディア装着駆動部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる手段と、
また前記記録メディアを再生する手段と
を備える、動画像と静止画像の混在記録がなされる記録メディアの記録再生装置であって、
データの一時記憶が可能な一時記憶装置と、
制御手段と、
記録実行手段と、
再生実行手段を備え、
前記制御手段は、前記記録メディアが前記メディア装着駆動部へ装着された際に、当該記録メディアに内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
前記記録実行手段は、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードを前記記録メディア内の前記半導体メモリへ転写する構成とし、
前記再生実行手段は、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生する構成としたことを特徴とする動画像と静止画像の混在記録がなされる記録メディアの記録再生装置。
【請求項１６】  磁気テープ媒体からなる記録メディアを駆動機構へ装着し、
いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させ、また前記記録メディアを再生する、動画像と静止画像の混在記録がなされる記録メディアの記録再生方法であって、
前記記録メディアが前記駆動機構へ装着された際に、別途準備された、外部から読み書き可能な半導体メモリを内蔵する外付けカード型記録装置に、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、別途準備された一時記憶装置へ転写し、
動画像の記録開始指示を受けると、
前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成された前記レコードに追記し、
前記磁気テープ媒体に記録されている画像の再生を指示する信号または、レコードの転写を指示する信号または、前記記録メディアの装着解除を指示する信号または、電源遮断を指示する信号の少なくともいずれかの発生を検出すると、前記一時記憶装置に記憶された前記レコードを前記外付けカード型記録装置内の前記半導体メモリへ転写し、
また前記磁気テープ媒体に記録されている画像の再生を指示する信号を受けた際に、前記一時記憶装置に前記レコードが存在するか否かを検査し、前記レコードが存在しない場合は前記外付けカード型記録装置記録内に備えられた前記半導体メモリに記録されている前記レコードを前記一時記憶装置へ転写し、
前記一時記憶装置内の前記レコードが複数個ある場合に、当該複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像の混在記録がなされる記録メディアの記録再生方法。
【請求項１７】  磁気テープ媒体が内蔵された外付け記録メディアが装着されると当該磁気テープ媒体の駆動をするとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる手段と、
また前記記録メディアを再生する手段と
を備える、動画像と静止画像の混在記録がなされる記録メディアの記録再生装置であって、
データの一時記憶が可能な一時記憶装置と、
外部から読み書き可能な半導体メモリを内蔵する外付けカード型記録装置のカード装着駆動部と、
制御手段と、
記録実行手段と、
再生実行手段を備え、
前記制御手段は、前記記録メディアが前記メディア装着駆動部へ装着された際に、前記外付けカード型記録装置に内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
前記記録実行手段は、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードを前記外付けカード型記録装置内の前記半導体メモリへ転写する構成とし、
前記再生実行手段は、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生する構成としたことを特徴とする動画像と静止画像の混在記録がなされる記録メディアの記録再生装置。
【請求項１８】  磁気テープ媒体からなる記録メディアを駆動機構へ装着し、
いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させ、また前記記録メディアを再生する、動画像と静止画像の混在記録がなされる記録メディアの記録再生方法であって、
前記記録メディアが前記駆動機構へ装着された際に、前記磁気テープ媒体の予め定めた所定の位置に設けられている目次記録領域に、当該磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、別途準備された一時記憶装置へ転写し、
動画像の記録開始指示を受けると、
前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成された前記レコードに追記し、
前記磁気テープ媒体に記録されている画像の再生を指示する信号または、レコードの転写を指示する信号または、前記記録メディアの装着解除を指示する信号または、電源遮断を指示する信号の少なくともいずれかの発生を検出すると、前記一時記憶装置に記憶された前記レコードを前記磁気テープ媒体の目次記録領域へ転写し、
また前記磁気テープ媒体に記録されている画像の再生を指示する信号を受けた際に、前記一時記憶装置に前記レコードが存在するか否かを検査し、前記レコードが存在しない場合は前記磁気テープ媒体の前記目次記録領域に記録されているレコードを前記一時記憶装置へ転写し、
前記一時記憶装置内の前記レコードが複数個ある場合に、当該複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生することを特徴とする動画像と静止画像の混在記録がなされる記録メディアの記録再生方法。
【請求項１９】  磁気テープ媒体の予め定めた所定の位置に設けられている目次記録領域磁気テープ媒体が内蔵された外付け記録メディアが装着されると当該磁気テープ媒体の駆動をするとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる手段と、
また前記記録メディアを再生する手段と
を備える、動画像と静止画像の混在記録がなされる記録メディアの記録再生装置であって、
データの一時記憶が可能な一時記憶装置と、
制御手段と、
記録実行手段と、
再生実行手段を備え、
前記制御手段は、前記記録メディアが前記メディア装着駆動部へ装着された際に、前記磁気テープ媒体の予め定めた所定の位置に設けられている目次記録領域に、当該磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、
レコードがあれば当該レコードを読出して、前記一時記憶装置へ転写し、
前記記録実行手段は、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードを前記磁気テープ媒体の前記目次記録領域へ転写する構成とし、
前記再生実行手段は、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生する構成としたことを特徴とする動画像と静止画像の混在記録がなされる記録メディアの記録再生装置。
【請求項２０】  磁気テープ媒体と半導体メモリがカセット内に格納された記録メディアが装着された際に当該磁気テープ媒体の駆動と当該半導体メモリとの電気的接続をするとともに、前記磁気テープ媒体の走行距離または記録時間経過に応じて駆動信号を発生させるメディア装着駆動部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる記録手段と、
当該磁気テープ媒体から動画像または静止画像を再生する再生回路と、
マイクロコンピュータと、
データの一時記憶が可能な一時記憶装置と、
を備える、動画像と静止画像の混在記録がなされる記録メディアの記録再生装置に適用可能な記録媒体であって、
前記マイクロコンピュータを、
前記記録メディアが前記メディア装着駆動部へ装着された際に、当該記録メディアに内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードを前記記録メディア内の前記半導体メモリへ転写する、制御手段または記録実行手段として機能させるためのプログラムと、
前記マイクロコンピュータを、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生する、再生実行手段として機能させるためのプログラムとの、
上記プログラムの少なくとも一つを記録したことを特徴とするマイクロコンピュータ読み取り可能な記録媒体。
【請求項２１】  磁気テープ媒体と半導体メモリがカセット内に格納された記録メディアが装着された際に当該磁気テープ媒体の駆動と当該半導体メモリとの電気的接続をするとともに、前記磁気テープ媒体の走行距離または記録時間経過に応じて駆動信号を発生させるメディア装着駆動部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる記録手段と、
当該磁気テープ媒体から動画像または静止画像を再生する再生回路と、
を備える、動画像と静止画像の混在記録がなされる記録メディアの記録再生装置に組み込み可能な、システム・オン・チップ型集積装置であって、
一個のチップ上に少なくともマイクロコンピュータと、半導体メモリによる一時記憶装置と、前記マイクロコンピュータによって読み取りと実行が可能なプログラムで構成された、制御手段と記録実行手段と再生実行手段の少なくとも一つが記録されたメモリとを備え、
且つ前記制御手段と記録実行手段は前記マイクロコンピュータを、
前記記録メディアが前記メディア装着駆動部へ装着された際に、当該記録メディアに内蔵された前記半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードを前記記録メディア内の前記半導体メモリへ転写するよう機能させるプログラムとして夫々構成され、
また前記再生実行手段は前記マイクロコンピュータを、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生するよう機能させるためのプログラムとして構成されたことを特徴とするシステム・オン・チップ型集積装置。
【請求項２２】  磁気テープ媒体が格納された記録メディアが装着された際に当該磁気テープ媒体の駆動をするとともに、前記磁気テープ媒体の走行距離または記録時間経過に応じて駆動信号を発生させるメディア装着駆動部と、
外部から読み書き可能な半導体メモリを内蔵する外付けカード型記録装置と電気的接続するカード装着部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる記録手段と、
当該磁気テープ媒体から動画像または静止画像を再生する再生手段と、
マイクロコンピュータと、
データの一時記憶が可能な一時記憶装置と、
を備える、動画像と静止画像の混在記録がなされる記録メディアの記録再生装置に適用可能な記録媒体であって、
前記マイクロコンピュータを、
前記記録メディアが前記メディア装着駆動部へ装着された際に、前記外付けカード型記録装置内の半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置の内容を外付けカード型記録装置内の半導体メモリへ転写する、制御手段または記録実行手段として機能させるためのプログラムと、
前記マイクロコンピュータを、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生する、再生実行手段として機能させるためのプログラムとの、
上記プログラムの少なくとも一つを記録したことを特徴とするマイクロコンピュータ読み取り可能な記録媒体。
【請求項２３】  磁気テープ媒体が格納された記録メディアが装着された際に当該磁気テープ媒体の駆動と当該半導体メモリとの電気的接続をするとともに、前記磁気テープ媒体の走行距離または記録時間経過に応じて駆動信号を発生させるメディア装着駆動部と、
外部から読み書き可能な半導体メモリを内蔵する外付けカード型記録装置と電気的接続するカード装着部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる記録手段と、
当該磁気テープ媒体から動画像または静止画像を再生する再生手段と、
を備える、動画像と静止画像の混在記録がなされる記録メディアの記録再生装置に組み込み可能な、システム・オン・チップ型集積装置であって、
一個のチップ上に少なくともマイクロコンピュータと、半導体メモリによる一時記憶装置と、前記マイクロコンピュータによって読み取りと実行が可能なプログラムで構成された、制御手段と記録実行手段と再生実行手段の少なくとも一つが記録されたメモリとを備え、
且つ前記制御手段と記録実行手段は前記マイクロコンピュータを、
前記記録メディアが前記メディア装着駆動部へ装着された際に、前記外付けカード型記録装置内の半導体メモリに、前記磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置に記憶された前記レコードを前記外付けカード型記録装置内の半導体メモリへ転写するよう機能させるプログラムとして夫々構成され、
また前記再生実行手段は前記マイクロコンピュータを、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生するよう機能させるためのプログラムとして構成されたことを特徴とするシステム・オン・チップ型集積装置。
【請求項２４】  磁気テープ媒体が格納された記録メディアが装着された際に当該磁気テープ媒体の駆動をするとともに、前記磁気テープ媒体の走行距離または記録時間経過に応じて駆動信号を発生させるメディア装着駆動部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる記録手段と、
当該磁気テープ媒体から動画像または静止画像を再生する再生手段と、
マイクロコンピュータと、
データの一時記憶が可能な一時記憶装置と、
を備える、動画像と静止画像の混在記録がなされる記録メディアの記録再生装置に適用可能な記録媒体であって、
前記マイクロコンピュータを、
前記記録メディアが前記メディア装着駆動部へ装着された際に、前記磁気テープ媒体上の予め定められた目次記録領域に、当該磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置の内容を磁気テープ媒体上の前記目次記録領域へ転写する、制御手段または記録実行手段として機能させるためのプログラムと、
前記マイクロコンピュータを、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生する、再生実行手段として機能させるためのプログラムとの、
上記プログラムの少なくとも一つを記録したことを特徴とするマイクロコンピュータ読み取り可能な記録媒体。
【請求項２５】  磁気テープ媒体が格納された記録メディアが装着された際に当該磁気テープ媒体の駆動をするとともに、前記磁気テープ媒体の走行距離または記録時間経過に応じて駆動信号を発生させるメディア装着駆動部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる記録手段と、
当該磁気テープ媒体から動画像または静止画像を再生する再生手段と、
を備える、動画像と静止画像の混在記録がなされる記録メディアの記録再生装置に組み込み可能な、システム・オン・チップ型集積装置であって、
一個のチップ上に少なくともマイクロコンピュータと、半導体メモリによる一時記憶装置と、前記マイクロコンピュータによって読み取りと実行が可能なプログラムで構成された、制御手段または記録実行手段または再生実行手段のうち少なくとも一つが記録されたメモリとを備え、
且つ前記制御手段または記録実行手段は前記マイクロコンピュータを、
前記記録メディアが前記メディア装着駆動部へ装着された際に、前記磁気テープ媒体上の予め定められた目次記録領域に、当該磁気テープ媒体に記録されている画像が動画像か静止画像かの種別を示す種別指標と、記録開始時および記録終了時の絶対アドレスまたはタイムコードとを対応付けた少なくとも一つのレコードが既記録されているか否かを検査し、レコードがあれば当該レコードを読出して、前記一時記憶装置へ転写し、
動画像の記録開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けたレコードを、前記一時記憶装置に形成させるか、または前記転写された前記レコードが存在すれば追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
前記レコードの転写を指示する信号または、前記記録メディアの装着解除を指示する信号または、電源遮断を指示する信号の少なくともいずれかの発生を検出すると、前記一時記憶装置の内容を磁気テープ媒体上の前記目次記録領域へ転写するよう機能させるプログラムとして構成され、
また前記再生実行手段は前記マイクロコンピュータを、
前記一時記憶装置内の前記複数個のレコードを記録順位にそって順次検索して、動画像を示す前記種別指標を有する前記レコードのみを抽出し、被抽出レコードのうち順序が早いレコードの前記開始アドレスまで前記磁気テープ媒体を移動させて動画像の再生を開始し、前記磁気テープ媒体が前記終了アドレスに至ると、順序が次の前記被抽出レコードの当該開始アドレスまで磁気テープ媒体を移動させたのち動画像の再生を開始し、上記の反復によって動画像のみを前記レコードの記録順序に従い順次連続再生するよう機能させるためのプログラムとして構成されたことを特徴とするシステム・オン・チップ型集積装置。
【請求項２６】  磁気テープ媒体及び外部から読み書き可能な半導体メモリを内蔵する外付けカセット型の記録メディアが駆動機構へ装着され、いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる、動画像と静止画像を混在記録可能な記録メディアの記録方法であって、
前記記録メディアが前記駆動機構へ装着された際に、当該記録メディアに内蔵された前記半導体メモリに、前記磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、別途準備された一時記憶装置へ転写し、
動画像の記録開始指示を受けると、前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成されている前記新レコードに追記し、
また、前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または該当するレコードに付帯情報として記憶させ、
また前記レコードの転写を指示する信号または、前記記録メディアの装着解除を指示する信号または、電源遮断を指示する信号の少なくともいずれかの発生を検出すると、前記一時記憶装置に記憶された前記レコード又は前記レコード及び付帯情報を、前記記録メディア内の前記半導体メモリへ転写することを特徴とする動画像と静止画像を混在記録可能な記録メディアへの記録方法。
【請求項２７】  磁気テープ媒体及び外部から読み書き可能な半導体メモリが内蔵されたカセット型の外付け記録メディアが装着されると当該磁気テープ媒体の駆動と当該半導体メモリとの電気的接続をするとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録装置であって、
データを一時記憶可能な一時記憶装置と、
制御手段と、
記録実行手段と、
スケジュール記録手段とを備え、
前記制御手段は、前記記録メディアが前記メディア装着駆動部へ装着された際に、当該記録メディアに内蔵された前記半導体メモリに、前記磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写し、
前記記録実行手段は、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された前記レコード、または前記レコードと付帯情報を、前記記録メディア内の前記半導体メモリへ転写し、
前記スケジュール記録手段は、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶する構成としたことを特徴とする動画像と静止画像を混在記録可能な記録メディアの記録装置。
【請求項２８】  磁気テープ媒体を内蔵する外付け型の記録メディアが駆動機構へ装着され、いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる、動画像と静止画像を混在記録可能な記録メディアの記録方法であって、
外部から読み書き可能な半導体メモリを内蔵して構成された外付けカード型記録装置をカード装着機構へ装着し、
前記記録メディアが前記駆動機構へ装着された際に、前記外付けカード型記録装置に内蔵された前記半導体メモリに、前記磁気テープ媒体に記録されている画像が動画像であることを示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、別途準備された一時記憶装置へ転写し、
動画像の記録開始指示を受けると、前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成されている前記新レコードに追記し、
また、前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または該当するレコードに付帯情報として記憶させ、
また前記レコードの転写を指示する信号または、前記記録メディアの装着解除を指示する信号または、電源遮断を指示する信号の少なくともいずれかの発生を検出すると、前記一時記憶装置に記憶された前記レコード又は前記レコード及び付帯情報を、前記外付けカード型記録装置内の前記半導体メモリへ転写することを特徴とする動画像と静止画像を混在記録可能な記録メディアへの記録方法。
【請求項２９】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録装置であって、
外部から読み書き可能な半導体メモリを内蔵して構成された外付けカード型記録装置を装着して駆動するカード装着部と、
データを一時記憶可能な一時記憶装置と、
制御手段と、
記録実行手段と、
スケジュール記録手段とを備え、
前記制御手段は、前記記録メディアが前記メディア装着駆動部へ装着された際に、前記カード装着部へ装着された外付けカード型記録装置に内蔵された前記半導体メモリ内に、前記磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写し、
前記記録実行手段は、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された前記レコード、または前記レコードと付帯情報を、前記外付けカード型記録装置内の前記半導体メモリへ転写し、
前記スケジュール記録手段は、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶する構成としたことを特徴とする動画像と静止画像を混在記録可能な記録メディアの記録装置。
【請求項３０】  磁気テープ媒体を内蔵する外付け型の記録メディアが駆動機構へ装着され、いずれも音声付き又は無音声のいずれかによる動画または静止画の画像信号の記録指示を受けると、前記磁気テープ媒体の走行距離または記録時間経過に応じて前記駆動機構が発生する駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる、動画像と静止画像を混在記録可能な記録メディアの記録方法であって、
前記記録メディアが前記駆動機構へ装着された際に、当該磁気テープ媒体上の予め定められた目次記録領域に、当該磁気テープ媒体に記録されている画像が動画像であることを示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、別途準備された一時記憶装置へ転写し、  動画像の記録開始指示を受けると、前記磁気テープ媒体への記録を開始するとともに、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、前記磁気テープ媒体への記録を終了するとともに、当該記録終了時点において前記駆動信号に基づき編成された絶対アドレスまたはタイムコードをサンプリングして終了情報となし、当該終了情報を前記一時記憶装置に形成されている前記新レコードに追記し、
また、前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または該当するレコードに付帯情報として記憶させ、
また前記レコードの転写を指示する信号または、前記記録メディアの装着解除を指示する信号または、電源遮断を指示する信号の少なくともいずれかの発生を検出すると、前記一時記憶装置に記憶された前記レコード又は前記レコード及び付帯情報を、前記磁気テープ媒体上の前記目次記録領域へ転写することを特徴とする動画像と静止画像を混在記録可能な記録メディアへの記録方法。
【請求項３１】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録装置であって、
データを一時記憶可能な一時記憶装置と、
制御手段と、
記録実行手段と、
スケジュール記録手段とを備え、
前記制御手段は、前記記録メディアが前記メディア装着駆動部へ装着された際に、前記磁気テープ媒体上の予め定められた目次記録領域に、当該磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写し、
前記記録実行手段は、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された前記レコード、または前記レコードと付帯情報を、前記磁気テープ媒体上の前記目次記録領域へ転写し、
前記スケジュール記録手段は、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶する構成としたことを特徴とする動画像と静止画像を混在記録可能な記録メディアの記録装置。
【請求項３２】  カセット内に半導体メモリと、動画像と静止画像が混在記録された磁気テープ媒体が備えられた記録メディアを再生する方法であって、
前記カセット内に備えられた前記半導体メモリに記録されている、当該磁気テープ媒体に記録された複数の動画像の夫々につき動画像であることを示す種別指標と、当該種別指標に対応付けた、記録開始時および記録終了時の絶対アドレスまたはタイムコードを少なくとも含む情報からなる、少なくとも一つのレコードの存在か、又は少なくとも一つのレコード及び再生順序に関わる付帯情報の存在を検査し、存在すれば当該レコード又は当該レコード及び付帯情報を、一時記憶装置へ転写し、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生することを特徴とする動画像と静止画像が混在記録された記録メディアの再生方法。
【請求項３３】  カセット内に半導体メモリと、動画像と静止画像が混在記録された磁気テープ媒体が備えられた記録メディアを再生する装置であって、
データを一時記憶可能な一時記憶装置と、
制御手段と、
スケジュール再生実行手段とを備え、
前記制御手段は、前記カセット内に備えられた前記半導体メモリに記録されている、当該磁気テープ媒体に記録された複数の動画像の夫々につき動画像であることを示す種別指標と、当該種別指標に対応付けた、記録開始時および記録終了時の絶対アドレスまたはタイムコードを少なくとも含む情報からなる、少なくとも一つのレコードの存在か、又は少なくとも一つのレコード及び再生順序に関わる付帯情報の存在を検査し、存在すれば当該レコード又は当該レコード及び付帯情報を、前記一時記憶装置へ転写し、
前記スケジュール再生実行手段は、前記一時記憶装置内の前記複数個の前記レコードを検索して、動画像を示す前記種別指標を有するレコードのみを抽出し、
または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生することを特徴とする動画像と静止画像が混在記録された記録メディアの再生装置。
【請求項３４】  動画像と静止画像が混在記録された磁気テープ媒体が備えられた記録メディアを再生する方法であって、
外部から読み書き可能な半導体メモリを内蔵する外付けカード型記録装置に記録されている、前記磁気テープ媒体に記録された複数の動画像の夫々につき動画像であることを示す種別指標と、当該種別指標に対応付けた、記録開始時および記録終了時の絶対アドレスまたはタイムコードを少なくとも含む情報からなる、少なくとも一つのレコードの存在か、又は少なくとも一つのレコード及び再生順序に関わる付帯情報の存在を検査し、存在すれば当該レコード又は当該レコード及び付帯情報を、一時記憶装置へ転写し、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生することを特徴とする動画像と静止画像が混在記録された記録メディアの再生方法。
【請求項３５】  動画像と静止画像が混在記録された磁気テープ媒体からなる記録メディアを再生する装置であって、
外部から読み書き可能な半導体メモリ備える外付けカード型記録装置を装着させるカード装着部と、
データを一時記憶可能な一時記憶装置と、
制御手段と、
スケジュール再生実行手段とを備え、
前記制御手段は、前記外付けカード型記録装置内の前記半導体メモリに記録されている、前記磁気テープ媒体に記録された複数の動画像の夫々につき動画像であることを示す種別指標と、当該種別指標に対応付けた、記録開始時および記録終了時の絶対アドレスまたはタイムコードを少なくとも含む情報からなる、少なくとも一つのレコードの存在か、又は少なくとも一つのレコード及び再生順序に関わる付帯情報の存在を検査し、存在すれば当該レコード又は当該レコード及び付帯情報を、一時記憶装置へ転写し、
前記スケジュール再生実行手段は、前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生することを特徴とする動画像と静止画像が混在記録された記録メディアの再生装置。
【請求項３６】  動画像と静止画像が混在記録された磁気テープ媒体が備えられた記録メディアを再生する方法であって、
前記磁気テープ媒体上の予め定めた目次記録領域に記録されている、当該磁気テープ媒体に記録された複数の動画像の夫々につき動画像であることを示す種別指標と、当該種別指標に対応付けた、記録開始時および記録終了時の絶対アドレスまたはタイムコードを少なくとも含む情報からなる、少なくとも一つのレコードの存在か、又は少なくとも一つのレコード及び再生順序に関わる付帯情報の存在を検査し、存在すれば当該レコード又は当該レコード及び付帯情報を、一時記憶装置へ転写し、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生することを特徴とする動画像と静止画像が混在記録された記録メディアの再生方法。
【請求項３７】  動画像と静止画像が混在記録された磁気テープ媒体からなる記録メディアを再生する装置であって、
データを一時記憶可能な一時記憶装置と、
制御手段と、
スケジュール再生実行手段とを備え、
前記制御手段は、前記磁気テープ媒体上の予め定めた目次記録領域に記録されている、当該磁気テープ媒体に記録された複数の動画像の夫々につき動画像であることを示す種別指標と、当該種別指標に対応付けた、記録開始時および記録終了時の絶対アドレスまたはタイムコードを少なくとも含む情報からなる、少なくとも一つのレコードの存在か、又は少なくとも一つのレコード及び再生順序に関わる付帯情報の存在を検査し、存在すれば当該レコード又は当該レコード及び付帯情報を、一時記憶装置へ転写し、
前記スケジュール再生実行手段は、前記一時記憶装置内の前記複数個の前記レコードを検索して、動画像を示す前記種別指標を有するレコードのみを抽出し、
または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生することを特徴とする動画像と静止画像が混在記録された記録メディアの再生装置。
【請求項３８】  磁気テープ媒体及び外部から読み書き可能な半導体メモリが内蔵されたカセット型の外付け記録メディアが装着されると当該磁気テープ媒体の駆動と当該半導体メモリとの電気的接続をするとともに、前記磁気テープ媒体の走行距離または記録時間経過に応じて駆動信号を発生させるメディア装着駆動部と、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる手段と、
また前記記録メディアを再生する手段と
を備える、動画像と静止画像の混在記録がなされる記録メディアの記録再生装置であって、
データを一時記憶可能な一時記憶装置と、
制御手段と、
スケジューリング記録手段と、
記録実行手段と、
スケジューリング再生実行手段を備え、
前記制御手段は、前記記録メディアが前記メディア装着駆動部へ装着された際に、当該記録メディアに内蔵された前記半導体メモリ内に、前記磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写し、
前記記録実行手段は、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された前記レコード、または前記レコードと付帯情報を、前記記録メディア内の前記半導体メモリへ転写し、
前記スケジュール記録手段は、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶し、
前記スケジュール再生制御手段は、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生する構成としたことを特徴とする動画像と静止画像の混在記録がなされる記録メディアの記録再生装置。
【請求項３９】  磁気テープ媒体及び外部から読み書き可能な半導体メモリが内蔵されたカセット型の外付け記録メディアが装着されると当該磁気テープ媒体の駆動と当該半導体メモリとの電気的接続をするとともに、前記磁気テープ媒体の走行距離または記録時間経過に応じて駆動信号を発生させるメディア装着駆動部と、マイクロコンピュータと、データを一時記憶可能な一時記憶装置とを備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録再生装置に適用される記録媒体であって、
前記マイクロコンピュータを、
前記記録メディアが前記メディア装着駆動部へ装着された際に、当該記録メディア内の半導体メモリに、当該磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写する、制御手段として機能させるためのプログラムと、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された内容を、前記記録メディア内の半導体メモリへ転写する、記録実行手段として機能させるためのプログラムと、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶する、スケジュール記録手段として機能させるためのプログラムと、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生する、スケジュール再生実行手段して機能させるためのプログラムと、
のうち少なくとも一つを記録したことを特徴とするマイクロコンピュータ読み取り可能な記録媒体。
【請求項４０】  磁気テープ媒体及び外部から読み書き可能な半導体メモリが内蔵されたカセット型の外付け記録メディアが装着されると当該磁気テープ媒体の駆動と当該半導体メモリとの電気的接続をするとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録再生装置に組み込み可能な、システム・オン・チップ型集積装置であって、
一個のチップ上に、少なくともマイクロコンピュータと、データを一時的に保持する一時記憶装置と、いずれも当該マイクロコンピュータによって読み取りと実行が可能なプログラムで構成された、制御手段と記録実行手段とスケジュール記録手段とスケジュール再生実行手段のうち、少なくとも一つが記録されたメモリと、
を備え、
且つ前記制御手段は前記マイクロコンピュータを、
前記記録メディアが前記メディア装着駆動部へ装着された際に、当該記録メディアの、外部から読み書き可能な前記半導体メモリ内に、当該磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写するよう機能させるプログラムとして構成され、
また前記記録実行手段は前記マイクロコンピュータを、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された内容を、前記記録メディア内の、外部から読み書き可能な前記半導体メモリへ転写するよう機能させるためのプログラムとして構成され、
また前記スケジュール記録手段は前記マイクロコンピュータを、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶するよう機能させるためのプログラムとして構成され、
また前記スケジュール再生実行手段は前記マイクロコンピュータを、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生するよう機能させるためのプログラムとして構成されたことを特徴とするシステム・オン・チップ型集積装置。
【請求項４１】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録再生装置であって、
外部から読み書き可能な半導体メモリを備える外付けカード型記録装置を装着して駆動するカード装着部と、
データを一時記憶可能な一時記憶装置と、
制御手段と、
記録実行手段と、
スケジュール記録手段と、
スケジュール再生実行手段とを備え、
前記制御手段は、前記記録メディアが前記メディア装着駆動部へ装着された際に、前記カード装着部へ装着された外付けカード型記録装置に内蔵された前記半導体メモリ内に、前記磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写し、
前記記録実行手段は、
動画像の記録開始指示を受けると、当該記録開始時点において発生する前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において発生する前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された前記レコード、または前記レコードと付帯情報を、前記外付けカード型記録装置内の前記半導体メモリへ転写し、
前記スケジュール記録手段は、
前記一時記憶装置内に前記レコードが複数個存在する場合に、再生順序を指示する外部入力信号によって前記複数レコードのうち少なくとも一部の再生順序が指定されると、当該再生順序に基づくスケジューリング項目を該当するレコード毎に作成し、且つ当該スケジューリング項目を該当するレコードに追記するか、または付帯情報として該当するレコードに付帯して記憶し、
前記スケジュール再生実行手段は、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を前記メディア装着駆動部の駆動により移動させて動画像の再生を開始し、前記磁気テープ媒体が前記終了アドレスに至ると、次の再生順序の前記被抽出レコードの当該開始アドレスまで磁気テープ媒体を前記メディア装着駆動部の駆動により移動させたのち動画像の再生を開始し、上記の反復によって動画像のみを前記再生順序に従い順次連続再生することを特徴とする動画像と静止画像が混在記録された記録メディアの記録再生装置。
【請求項４２】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部と、
外部から読み書き可能な半導体メモリを備える外付けカード型記録装置を装着して駆動するカード装着部と、
マイクロコンピュータと、データを一時記憶可能な一時記憶装置とを備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録再生装置に適用される記録媒体であって、
前記マイクロコンピュータを、
前記記録メディアが前記メディア装着駆動部へ装着された際に、前記外付けカード型記録装置の半導体メモリ内に、当該磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写する、制御手段として機能させるためのプログラムと、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された内容を、前記外付けカード型記録装置の半導体メモリへ転写する、記録実行手段として機能させるためのプログラムと、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶する、スケジュール記録手段として機能させるためのプログラムと、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生する、スケジュール再生実行手段して機能させるためのプログラムと、
のうち少なくとも一つを記録したことを特徴とするマイクロコンピュータ読み取り可能な記録媒体。
【請求項４３】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部と、
外部から読み書き可能な半導体メモリを備える外付けカード型記録装置を装着して駆動するカード装着部とを備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録再生装置に組み込み可能な、システム・オン・チップ型集積装置であって、
一個のチップ上に、少なくともマイクロコンピュータと、データを一時的に保持する一時記憶装置と、いずれも当該マイクロコンピュータによって読み取りと実行が可能なプログラムで構成された、制御手段と記録実行手段とスケジュール記録手段とスケジュール再生実行手段のうち、少なくとも一つが記録されたメモリと、
を備え、
且つ前記制御手段は前記マイクロコンピュータを、
前記記録メディアが前記メディア装着駆動部へ装着された際に、前記外付けカード型記録装置内の外部から読み書き可能な半導体メモリ内に、前記磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写するよう機能させるプログラムとして構成され、
また前記記録実行手段は前記マイクロコンピュータを、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された内容を、前記磁気テープ媒体上の前記目次記録領域へ転写するよう機能させるためのプログラムとして構成され、
また前記スケジュール記録手段は前記マイクロコンピュータを、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶するよう機能させるためのプログラムとして構成され、
また前記スケジュール再生実行手段は前記マイクロコンピュータを、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生するよう機能させるためのプログラムとして構成されたことを特徴とするシステム・オン・チップ型集積装置。
【請求項４４】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の、動画像と静止画像を混在記録可能な記録メディアの記録装置であって、
データを一時記憶可能な一時記憶装置と、
制御手段と、
記録実行手段と、
スケジュール記録手段と、
スケジュール再生実行手段とを備え、
前記制御手段は、前記記録メディアが前記メディア装着駆動部へ装着された際に、前記磁気テープ媒体上の予め定められた目次記録領域に、当該磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写し、
前記記録実行手段は、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された内容を、前記磁気テープ媒体上の前記目次記録領域へ転写し、
前記スケジュール記録手段は、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶し、
前記スケジュール再生実行手段は、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生することを特徴とする動画像と静止画像が混在記録された記録メディアの記録再生装置。
【請求項４５】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成であり、且つ少なくともマイクロコンピュータと、データを一時的に保持する一時記憶装置とを備えた、動画像と静止画像を混在記録可能な記録メディアの記録再生装置に適用される記録媒体であって、
前記マイクロコンピュータを、
前記記録メディアが前記メディア装着駆動部へ装着された際に、前記磁気テープ媒体上の予め定められた目次記録領域に、当該磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写する、制御手段として機能させるためのプログラムと、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された内容を、前記磁気テープ媒体上の前記目次記録領域へ転写する、記録実行手段として機能させるためのプログラムと、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶する、スケジュール記録手段として機能させるためのプログラムと、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生する、スケジュール再生実行手段して機能させるためのプログラムと、
のうち少なくとも一つを記録したことを特徴とするマイクロコンピュータ読み取り可能な記録媒体。
【請求項４６】  磁気テープ媒体が内蔵された外付け記録メディアが装着されると当該磁気テープ媒体を駆動させるとともに、前記磁気テープ媒体の走行距離または記録時間経過に応じて駆動信号を発生させるメディア装着駆動部を備え、
いずれも音声付き又は無音声のいずれかによる動画または静止画の画像信号の記録指示を受けると、前記メディア装着駆動部が発生する前記駆動信号に基づき編成された絶対アドレスまたはタイムコードと、当該画像信号を、前記磁気テープ媒体上の一連の傾斜トラック内に記録するか、又は前記傾斜トラックに加えて、少なくとも前記絶対アドレスまたはタイムコードを記録した少なくとも一本の長手トラックを形成させる構成の動画像と静止画像を混在記録可能な記録メディアの記録再生装置に組み込み可能な、システム・オン・チップ型集積装置であって、
一個のチップ上に、少なくともマイクロコンピュータと、データを一時的に保持する一時記憶装置と、いずれも当該マイクロコンピュータによって読み取りと実行が可能なプログラムで構成された、制御手段と記録実行手段とスケジュール記録手段とスケジュール再生実行手段のうち、少なくとも一つが記録されたメモリと、
を備え、
且つ前記制御手段は前記マイクロコンピュータを、
前記記録メディアが前記メディア装着駆動部へ装着された際に、前記磁気テープ媒体上の予め定められた目次記録領域に、当該磁気テープ媒体に記録されている画像が動画像か静止画像かの種別を示す種別指標と、当該種別指標に対応付けた、記録開始時および記録終了時の絶対アドレスまたはタイムコードを少なくとも含む情報からなる、少なくとも一つのレコードか、又は少なくとも一つのレコード及び付帯情報の存在を検査し、存在すれば当該レコード又は当該レコード及び付帯情報を読出して、前記一時記憶装置へ転写するよう機能させるプログラムとして構成され、
また前記記録実行手段は前記マイクロコンピュータを、
動画像記録の開始指示を受けると、当該記録開始時点において前記駆動信号に基づき編成された絶対アドレスまたはタイムコードをサンプリングして開始情報となし、
当該画像が動画像であることを示す種別指標と当該開始情報とを対応付けた新レコードを、前記一時記憶装置に形成させるか、または前記転写された前記レコードが存在すれば新レコードとして前記レコードに並び追記して形成させ、
当該動画像記録の終了指示を受けると、当該記録終了時点において前記駆動信号に基づき編成された絶対アドレスまたはタイムコードをサンプリングして終了情報となし、当該終了情報を前記一時記憶装置に形成された前記レコードに追記し、
また前記レコードの転写を指示する信号または、前記記録メディアの装着解除を指示する信号または、電源遮断を指示する信号の少なくともいずれかの発生を検出すると、前記一時記憶装置に記憶された内容を、前記磁気テープ媒体上の前記目次記録領域へ転写するよう機能させるためのプログラムとして構成され、
また前記スケジュール記録手段は前記マイクロコンピュータを、
前記一時記憶装置内に前記レコードが複数個存在する場合に、再生順序を指示する外部入力信号によって前記複数レコードのうち少なくとも一部の再生順序が指定されると、当該再生順序に基づいてスケジューリング項目を該当するレコード毎に作成し、且つ当該スケジューリング項目を該当するレコードに追記するか、または付帯情報として該当するレコードに付帯して記憶するよう機能させるためのプログラムとして構成され
また前記スケジュール再生実行手段は前記マイクロコンピュータを、
前記一時記憶装置内の前記複数個の前記レコードを検索して、動画像を示す前記種別指標を有するレコードのみを抽出し、または動画像を示す前記種別指標を有するレコード及び付帯情報のみを抽出し、
当該被抽出レコード内の再生順序に関わる項目、または当該付帯情報が示す再生順序情報を検索し、
被抽出レコードのうち再生順序が早いレコードの前記開始アドレスまで前記磁気テープ媒体を移動させて動画像の再生を開始し、前記磁気テープ媒体が前記終了アドレスに至ると、次の再生順序の前記被抽出レコードの当該開始アドレスまで磁気テープ媒体を移動させたのち動画像の再生を開始し、上記の反復によって動画像のみを前記再生順序に従い順次連続再生するよう機能させるためのプログラムとして構成されたことを特徴とするシステム・オン・チップ型集積装置。
【請求項４７】  磁気テープ媒体上に複数の画像記録領域が順に配列して記録された記録メディアから、前記複数の画像記録領域の少なくとも一部の画像記録領域が、前記配列順と異なる再生順序で順次再生される、画像再生方法であって、
前記再生順序の早い前記画像記録領域から読出した画像信号を、先入れ先出し型のバッファ記録装置へ所定時間分だけ先読みして蓄積したのち、当該バッファ記録装置から先出し分の読出しをしつつ前記再生順序の早い前記画像記録領域から先読みし、
次の再生順序である前記画像記録領域へ移動する時間中は、前記バッファ記録装置から既蓄積分を放出して再生することを特徴とする画像再生方法。
【請求項４８】  磁気テープ媒体上に複数の画像記録領域が順に配列して記録された記録メディアから、前記複数の画像記録領域の少なくとも一部の画像記録領域を、前記配列順と異なる再生順序で順次再生する画像再生装置であって、
前記再生順序にしたがい前記磁気テープ媒体を目的の画像記録領域まで移動させる移動機構と、
画像信号を先入れ先出し可能のバッファ記録装置と、
先入れ先出し制御手段とを備え、
前記先入れ先出し制御手段は、前記再生順序の早い前記画像記録領域から読出した画像信号を、前記先入れ先出しバッファ記録装置へ所定時間だけ先読みして蓄積したのち、当該バッファ記録装置から先出し分の読出しをしつつ前記再生順序の早い前記画像記録領域から先読みし、
前記移動機構が前記磁気テープ媒体を次の再生順序である前記画像記録領域まで移動させる時間中は、前記バッファ記録装置から既蓄積分を放出して再生する構成としたことを特徴とする画像再生装置。
【請求項４９】  磁気テープ媒体上に複数の画像記録領域が順に配列して記録された記録メディアから、前記複数の画像記録領域の少なくとも一部の画像記録領域を、前記配列順と異なる再生順序で順次再生し、前記再生順序にしたがい前記磁気テープ媒体を目的の画像記録領域まで移動させる移動機構と、画像信号を先入れ先出し可能のバッファ記録装置と、マイクロコンピュータとを少なくとも具備する画像再生装置に適用される記録媒体であって、
前記マイクロコンピュータを、
前記再生順序の早い前記画像記録領域から読出した画像信号を、前記先入れ先出しバッファ記録装置へ所定時間だけ先読みして蓄積したのち、当該バッファ記録装置から先出し分の読出しをしつつ前記再生順序の早い前記画像記録領域から先読みし、
前記移動機構が前記磁気テープ媒体を次の再生順序である前記画像記録領域まで移動させる時間中は、前記バッファ記録装置から既蓄積分を放出して再生する先入れ先出し制御手段として機能させるためのプログラムを記録したことを特徴とするマイクロコンピュータ読み取り可能な記録媒体。
【請求項５０】  磁気テープ媒体上に複数の画像記録領域が順に配列して記録された記録メディアから、前記複数の画像記録領域の少なくとも一部の画像記録領域を、前記配列順と異なる再生順序で順次再生し、前記再生順序にしたがい前記磁気テープ媒体を目的の画像記録領域まで移動させる移動機構を具備する画像再生装置へ組み込み可能な、システム・オン・チップ型集積装置であって、
一個のチップ上に少なくともマイクロコンピュータと、画像信号を先入れ先出し可能のバッファ記録装置と、当該マイクロコンピュータによって読み取りと実行が可能なプログラムで構成された少なくとも先入れ先出し制御手段が記録されたメモリと、
を備え、
且つ前記先入れ先出し制御手段は前記マイクロコンピュータを、
前記再生順序の早い前記画像記録領域から読出した画像信号を、前記先入れ先出し可能のバッファ記録装置へ所定時間だけ先読みして蓄積したのち、当該バッファ記録装置から先出し分の読出しをしつつ前記再生順序の早い前記画像記録領域から先読みし、
前記移動機構が前記磁気テープ媒体を次の再生順序である前記画像記録領域まで移動させる時間中は、前記バッファ記録装置から既蓄積分を放出して再生するよう機能させるためのプログラムとして構成されたことを特徴とするシステム・オン・チップ型集積装置。
【請求項５１】  動画像信号または静止画像信号を磁気テープ媒体からなる記録メディアの傾斜トラックに記録可能な、動画像と静止画像が混在記録された記録メディアへの記録方法であって、
少なくとも前記動画像信号が記録される前記各傾斜トラック上に、記録内容が少なくとも動画像信号であることを示す種別指標を前記動画像信号とともに記録することを特徴とする、動画像と静止画像が混在記録された記録メディアへの記録方法。
【請求項５２】  磁気テープ媒体からなる記録メディアの傾斜トラックに動画像信号と静止画像信号が混在して記録され、且つ記録内容が少なくとも動画像信号であることを示す種別指標が当該各傾斜トラック上に記録された記録メディアの再生方法であって、
前記各傾斜トラック上に記録されている前記種別指標に基づいて、動画像信号が記録された前記各傾斜トラックだけを再生することを特徴とする、動画像と静止画像が混在記録された記録メディアの再生方法。
【請求項５３】  動画像信号または静止画像信号を磁気テープ媒体からなる記録メディアの傾斜トラックに記録可能な、動画像と静止画像が混在記録された記録メディアへの記録装置であって、
少なくとも前記動画像信号が記録される前記各傾斜トラック上に、記録内容が少なくとも動画像信号であることを示す種別指標を前記動画像信号とともに記録する傾斜トラック記録手段を備えたことを特徴とする、動画像と静止画像が混在記録された記録メディアへの記録装置。
【請求項５４】  磁気テープ媒体からなる記録メディアの傾斜トラックに動画像信号と静止画像信号が混在して記録され、且つ記録内容が少なくとも動画像信号であることを示す種別指標が当該各傾斜トラック上に記録された記録メディアの再生装置であって、
前記各傾斜トラック上に記録されている前記種別指標を検出して、動画像信号が記録された前記各傾斜トラックだけを再生する傾斜トラック再生手段を備えたことを特徴とする、動画像と静止画像が混在記録された記録メディアの再生装置。
【請求項５５】  動画像信号または静止画像信号を磁気テープ媒体からなる記録メディアの傾斜トラックへ記録し、また前記傾斜トラックに動画像信号と静止画像信号が混在して記録された記録メディアを再生する記録再生装置であって、
少なくとも前記動画像信号が記録される前記各傾斜トラック上に、記録内容が少なくとも動画像信号であることを示す種別指標を前記動画像信号とともに記録する傾斜トラック記録手段と、
前記各傾斜トラック上に記録されている前記種別指標を検出して、動画像信号が記録された前記各傾斜トラックだけを再生する傾斜トラック再生手段とを備えた、動画像と静止画像が混在記録された記録メディアの記録再生装置。
【請求項５６】  装着された磁気テープ媒体の傾斜トラックへ動画像または静止画像を記録する記録回路と、また当該磁気テープ媒体の傾斜トラックから動画像または静止画像を再生する再生回路と、マイクロコンピュータとを備える、動画像と静止画像の記録再生装置に適用される記録媒体であって、
前記マイクロコンピュータを、
前記動画像信号が記録される前記各傾斜トラック上に、記録内容が動画像信号であることを示す種別指標を前記動画像信号とともに記録する傾斜トラック記録手段として機能させるためのプログラムと、
前記マイクロコンピュータを、
再生指示信号を受けると、前記各傾斜トラック上に記録されている前記種別指標を検出して、動画像信号が記録された前記各傾斜トラックだけを再生する傾斜トラック再生手段として機能させるためのプログラムとの、
少なくとも上記両プログラムを記録したことを特徴とするマイクロコンピュータ読み取り可能な記録媒体。
【請求項５７】  磁気テープ媒体からなる記録メディアが装着されると当該磁気テープ媒体上の傾斜トラックへ動画像または静止画像を記録する記録回路と、また当該磁気テープ媒体上の傾斜トラックから動画像または静止画像を再生する再生回路を備える、動画像と静止画像の記録再生装置に組み込み可能な、システム・オン・チップ型集積装置であって、
一個のチップ上に少なくともマイクロコンピュータと、当該マイクロコンピュータによって読み取りと実行が可能なプログラムで構成された、少なくとも傾斜トラック記録手段と傾斜トラック再生手段とが記録されたメモリとを備え、
且つ前記傾斜トラック記録手段は前記マイクロコンピュータを、
前記動画像信号が記録される前記各傾斜トラック上に、記録内容が動画像信号であることを示す種別指標を前記動画像信号とともに記録するよう機能させるプログラムとして構成され、
また前記傾斜トラック再生手段は前記マイクロコンピュータを、
再生指示信号を受けると、前記各傾斜トラック上に記録されている前記種別指標を検出して、動画像信号が記録された前記各傾斜トラックだけを再生するよう機能させるためのプログラムとして構成されたことを特徴とするシステム・オン・チップ型集積装置。
【請求項５８】
撮像手段により入力された動画像と静止画像を混在記録可能な記録装置において、
被撮像体の映像を記録信号に変換する撮像手段と、
前記被撮像体の画像記録の開始指示及び画像記録の終了指示を行う制御手段と、
前記制御手段からの画像記録の開始指示に基づき、当該画像記録に関する記録開始情報を取得する記録開始情報取得手段と、
開始される当該画像記録に対応するレコードを形成するレコード形成手段と、
前記レコード形成手段により形成された当該レコードに、当該画像記録の対象が動画像或いは静止画像かを区別する種別指標を書き込む書き込み手段と、
前記制御手段からの画像記録の終了指示に基づき、当該画像記録に関する記録終了情報を取得する記録終了情報取得手段と、
前記レコードを記憶する記憶手段と
を備え、
前記レコードは、新規の画像記録毎に、前記記録開始情報、前記種別指標及び前記記録終了情報が対応付けられることにより形成される
ことを特徴とする記録装置。
【請求項５９】
前記画像記録の対象について、操作者から動画像又は静止画像かを指示する動画／静止画指示手段
をさらに備える
ことを特徴とする請求項５８に記載の記録装置。
【請求項６０】
前記レコードに対応する画像の表示を指示する指示手段と、
前記レコードに対応する画像を表示する画像表示手段と
をさらに備え、
前記制御手段は、前記指示手段による画像の表示の指示に基づき、前記レコードに対応する画像を前記画像表示手段に表示させる
ことを特徴とする記録装置。
【請求項６１】
動画像と静止画像を混在記録可能な記録装置の記録方法において、
被撮像体の映像を記録信号に変換し、
前記被撮像体の画像記録の開始指示を行い、
前記画像記録の開始指示に基づき、当該画像記録に関する記録開始情報を取得し、
開始される当該画像記録に対応するレコードを形成し、
当該レコードに、当該画像記録の対象が動画像或いは静止画像かを区別する種別指標を書き込み、
前記画像記録の終了指示に基づき、当該画像記録に関する記録終了情報を取得する
ステップを含み、
前記レコードは、新規の画像記録毎に、前記記録開始情報、前記種別指標及び前記記録終了情報が対応付けられることにより形成される
ことを特徴とする記録方法。
【請求項６２】
動画像と静止画像を混在記録する記録処理用のプログラムであって、
被撮像体の映像を記録信号に変換し、
前記被撮像体の画像記録の開始指示を行い、
前記画像記録の開始指示に基づき、当該画像記録に関する記録開始情報を取得し、
開始される当該画像記録に対応するレコードを形成し、
当該レコードに、当該画像記録の対象が動画像或いは静止画像かを区別する種別指標を書き込み、
前記画像記録の終了指示に基づき、当該画像記録に関する記録終了情報を取得する
ステップを含み、
前記レコードは、新規の画像記録毎に、前記記録開始情報、前記種別指標及び前記記録終了情報が対応付けられることにより形成される
ことを特徴とするコンピュータが読み取り可能なプログラムが記録されている記録媒体。
【請求項６３】
動画像と静止画像の画像記録毎に、当該画像記録に関する記録開始情報、当該画像記録の対象が動画像或いは静止画像かを区別する種別指標、及び当該画像記録に関する記録終了情報が対応付けられることにより形成されたレコードが記録された記録メディアを再生する再生装置において、
前記記録メディアに記録された前記レコードを記憶する記憶手段と、
前記レコードを前記記憶手段に転写する制御手段と、
前記記憶手段に記憶された当該レコードを順次連続再生する再生実行手段と
を備えることを特徴とする再生装置。
【請求項６４】
動画像の再生又は静止画像の再生を指示する動画／静止画再生指示手段
をさらに備え、
前記再生実行手段は、前記記憶手段に記憶された前記レコードのうち、前記動画像／静止画像再生指示手段により再生が指示された動画像または静止画像を示す前記種別指標が対応付けられることにより形成されたレコードのみを抽出し、当該抽出されたレコードを順次連続再生する
ことを特徴とする請求項６３に記載の再生装置。
【請求項６５】
動画像と静止画像の画像記録毎に、当該画像記録に関する記録開始情報、当該画像記録の対象が動画像或いは静止画像かを区別する種別指標、及び当該画像記録に関する記録終了情報が対応付けられることにより形成されたレコードが記録された記録メディアを再生する再生装置の再生方法において、
前記記録メディアに記録された前記レコードを記憶手段に転写し、
前記記憶手段に記憶された当該レコードを順次連続再生する
ことを特徴とする再生方法。
【請求項６６】
動画像の再生又は静止画像の再生を指示し、
前記記憶手段に記憶された前記レコードのうち、再生が指示された動画像または静止画像を示す前記種別指標が対応付けられることにより形成されたレコードのみを抽出し、当該抽出されたレコードを順次連続再生する
ことを特徴とする請求項６５に記載の再生方法。
【請求項６７】
動画像と静止画像の画像記録毎に、当該画像記録に関する記録開始情報、当該画像記録の対象が動画像或いは静止画像かを区別する種別指標、及び当該画像記録に関する記録終了情報が対応付けられることにより形成されたレコードが記録された記録メディアを再生する再生処理用のプログラムであって、
前記記録メディアに記録された前記レコードを記憶手段に転写し、
前記記憶手段に記憶された当該レコードを順次連続再生する
ことを特徴とするコンピュータが読み取り可能なプログラムが記録されている記録媒体。